(57)【特許請求の範囲】
【請求項１】
略Ｌ字の平面形状に形成され、軒樋を嵌合可能な軒樋嵌合部が両端に設けられている継手本体を備え、その継手本体の入隅部が、継手本体の出隅部側に膨らんだ壁で、この壁の軒樋嵌合部の近傍に角部が形成されている曲り樋継手において、
前記継手本体の軒樋嵌合部に近い入隅部の角部の両側下端部が、平面視で傾斜状に面取りされた壁で形成されていることを特徴とする曲り樋継手。
【発明の詳細な説明】
【０００１】
【発明の属する技術分野】
本発明は、家屋の軒先の隅部に設けられる曲り樋継手に関する。
【０００２】
【従来の技術】
軒先の出隅部に設けられる従来の曲り樋継手としては、例えば、実公昭６１−４１８８６号公報に記載されているようなものがある。
【０００３】
この曲り樋継手は、略Ｌ字の平面形状に形成され、軒樋を嵌合可能な軒樋嵌合部が両端に設けられている継手本体を備え、その継手本体の入隅部が、家屋の軒先にある隅木の先端を納めることができる方形状に切り欠かれていると共に、その切り欠き部の周縁に立設され、継手本体の出隅部側に膨らんだ円弧状の壁で形成されている。
【０００４】
【発明が解決しようとする課題】
しかしながら、このような従来の曲り樋継手Ｍａにあっては、図４に示すように、継手本体１ａの入隅部１２ａの両側に、角部１４ａが設けられているために、軒樋嵌合部１１ａに嵌合させた軒樋が夏冬の温度差によって熱伸縮した時、継手本体１ａにも応力がかかり継手本体１ａが変形する。特に、継手本体１ａが両方向から引っ張られると、継手本体１ａの入隅部１２ａが拡げられ、この時、曲り樋継手Ｍａが変形したり、又、曲り樋継手Ｍａに接続された軒樋４が変形したりして、継手本体１ａの軒樋嵌合部１１ａの近傍で、継手本体１ａの入隅部１２ａの両側の角部１４ａ、特にその下端部が鼻隠し板５に当たり、継手本体１ａが破損したり、鼻隠し板５に傷を付けたりする問題があった。
【０００５】
そこで、本発明は、上記のような問題に着目し、曲り樋継手が、温度変化の原因で、鼻隠し板に傷を付けず、又、曲り樋継手が破損したりするこがない曲り樋継手を提供することを目的としている。
【０００６】
【課題を解決するための手段】
上記目的を達成するために、本発明の曲り樋継手では、略Ｌ字の平面形状に形成され、軒樋を嵌合可能な軒樋嵌合部が両端に設けられている継手本体を備え、その継手本体の入隅部が、継手本体の出隅部側に膨らんだ壁で、この壁の軒樋嵌合部の近傍に角部が形成されている曲り樋継手において、継手本体の軒樋嵌合部に近い入隅部の角部の両側下端部が、平面視で傾斜状に面取りされた壁で形成されているものである。
【０００７】
本発明において、曲り樋継手の材質は、合成樹脂、金属が使用されるが、軽量、防錆の点で合成樹脂がよく、合成樹脂の中でも、軒樋と同じ材質で、硬質塩化ビニル樹脂が好ましい。
【０００８】
本発明において、継手本体の軒樋嵌合部に近い入隅部の角部の両側下端部が、平面視で傾斜状に面取りされた壁となされているが、この面取の大きさは、軒樋が夏冬の温度差によって熱伸縮した時、継手本体が両方向から引っ張られ、曲り樋継手が変形したり、又、曲り樋継手に接続された軒樋が変形したりしても、継手本体の軒樋嵌合部の近傍で、継手本体の入隅部の両側のほぼ直角に近い角度の角部が鼻隠し板に当たらない程度にしておくとよい。
【０００９】
（作用）
本発明の曲り樋継手では、継手本体の軒樋嵌合部に近い入隅部の角部の両側下端部が、平面視で傾斜状に面取りされた壁で形成されているから、軒樋が夏冬の温度差によって熱伸縮して、継手本体が両方向から引っ張られ、曲り樋継手が変形したり、又、曲り樋継手に接続された軒樋が変形したりしても、継手本体の入隅部の両側の下端部の角部が鼻隠し板に当たらず、曲り樋継手が鼻隠し板に傷を付けず、又、曲り樋継手が破損したりするこがない。
【００１０】
【発明の実施の形態】
まず、図１〜図３に基づいて、一実施例の曲り樋継手の構成を説明する。
図１は本発明の曲り樋継手の一実施例を示すもので、（イ）は斜視図、（ロ）は底面図、図２は図１の曲り樋継手の使用状態を示す説明図、図３は図２において、軒樋の収縮に起因する曲り樋継手の変形状態を示す模式説明図である。
【００１１】
図１に示すように、曲り樋継手Ｍは、略Ｌ字の平面形状であり、かつ、略溝形の断面形状に形成され、軒樋を嵌合可能な軒樋嵌合部１１が両端に設けられた継手本体１と、軒樋嵌合部１１の内面に設けられた軒樋係止片２と、両端部の軒樋嵌合部１１の上端に相対して内側に向けて設けられた軒樋押え片３と、を備えている。なお、前記継手本体１と軒樋係止片２と軒樋押え片３とは一体に成形されている。
【００１２】
継手本体１は、入隅部１２が継手本体１の出隅部１３側に膨らんだ壁で形成されていると共に、その入隅部１２の両端部の軒樋嵌合部１１の近傍に角部１４が形成され、入隅部１２と軒樋嵌合部１１とが連続している。
【００１３】
この両端部の角部１４の下端部は、下方に行くにつれて幅広になるように面取部１５が形成されている。
両端部の面取部１５の軒樋嵌合部１１側の下端は、軒樋嵌合部１１の奥より内側に位置するようになされている。
【００１４】
次に、図２及び図３に基づいて、使用方法と作用を説明する。
先ず、軒先の出隅部で、鼻隠し板５取り付けられた軒樋４の一端部の側壁面と底面とに接着剤（図示省略）を塗布して、曲り樋継手Ｍの一方の軒樋嵌合部１１に嵌め込み、一方の軒樋係止片２と軒樋嵌合部１１との間に軒樋４の一端部を差し込み、一方の軒樋係止片２と軒樋押え片３とで軒樋４の一端部を押え、曲り樋継手Ｍの一方の軒樋嵌合部１１と軒樋４を接続する。
【００１５】
次に、別の軒樋４の一端部の側壁面と底面とに接着剤（図示省略）を塗布して、曲り樋継手Ｍの他方の軒樋嵌合部１１に嵌め込み、他方の軒樋係止片２と軒樋嵌合部１１との間に他方の軒樋４の一端部を差し込み、他方の軒樋係止片２と軒樋押え片３とで別の軒樋４の他端部を押え、曲り樋継手Ｍの他方の軒樋嵌合部１１と別の軒樋４を接続し、別の軒樋４を別の鼻隠し板５に取り付ける。
【００１６】
このようにすると、本発明の曲り樋継手Ｍでは、継手本体１の軒樋嵌合部１１に近い入隅部１２の角部１４の両側下端部が、平面視で傾斜状になされた面取部１５になされているから、軒樋４が夏冬の温度差によって熱収縮して、継手本体１が両方向から引っ張られ（図３参照）、曲り樋継手Ｍが変形したり、又、曲り樋継手Ｍに接続された軒樋４が変形したりして、継手本体１の下部が軒先側に動いても、継手本体１の入隅部１２の両側の下端部の角部１４の面取部１５が鼻隠し板５に当たらず、曲り樋継手Ｍが鼻隠し板５に傷を付けず、又、曲り樋継手Ｍが破損したりすることがない。
【００１７】
以上、本発明の実施例を図面により詳述してきたが、具体的な構成はこの実施例に限られるものではなく、本発明の要旨を逸脱しない範囲における設計の変更等があっても本発明に含まれる。
例えば、一実施例では、出隅部での軒樋の収縮に起因する曲り樋継手の変形を上げたが、入隅部でも軒樋の伸びに起因する曲り樋継手の変形についても同様の考えが適用される。
【００１８】
【発明の効果】
以上説明したように、本発明の曲り樋継手にあっては、継手本体の軒樋嵌合部に近い入隅部の角部の両側下端部が、平面視で傾斜状に面取りされた壁で形成されているから、軒樋が夏冬の温度差によって熱伸縮して、継手本体が両方向から引っ張られ、曲り樋継手が変形したり、又、曲り樋継手に接続された軒樋が変形したりしても、継手本体の入隅部の両側の下端部の角部が鼻隠し板に当たらず、曲り樋継手が鼻隠し板に傷を付けず、又、曲り樋継手が破損したりすることがない。
【図面の簡単な説明】
【図１】図１は本発明の曲り樋継手の一実施例を示すもので、（イ）は斜視図、（ロ）は底面図である。
【図２】図１の曲り樋継手の使用状態を示す説明図である。
【図３】図２において、軒樋の収縮に起因する曲り樋継手の変形状態を示す模式説明図である。
【図４】従来の曲り樋継手が両方から引っ張られ、継手本体の入隅部の両側の下端部の角部が鼻隠し板に当たっている状態を示した説明図である。
【符号の説明】
Ｍ    曲り樋継手
１    継手本体
１１  軒樋嵌合部
１２  入隅部
１３  出隅部
１４  角部
１５  面取部
２    軒樋係止部
３    軒樋押え片
４    軒樋
５    鼻隠し板
【図１】
0003599577.tif 000002
【図２】
0003599577.tif 000003
【図３】
0003599577.tif 000004
【図４】
0003599577.tif 000005